(57)【要約】【課題】記録媒体にマルチチャネルストリームを記録する時各々のデジタルチャネルストリームを再生時に区分できる形態で記録し、各デジタルチャネルストリームを区分できる管理情報を生成して記録する。【解決手段】本発明の記録方法は、複数チャネルのサブストリームで形成された一つのマルチストリームを、それぞれチャネル別に区別されて複数の記録集合体に記録して、複数の記録集合体に分散されたマルチストリームに含まれた複数チャネルのサブストリーム各々に対するサーチ情報、複数チャネル数だけのサーチ情報を生成して記録する。したがって、マルチチャネルストリームを記録媒体に記録した後にもこれをそれぞれチャネル別に別々にサーチしたり再生することができるようになる。【選択図】  図３
2006294245.tif 000002
【特許請求の範囲】
【請求項１】
複数の再生経路を表す少なくともビデオデータの再生を管理するためのデータ構造を記録する方法であって、少なくともビデオデータからなる伝送ストリームを記録媒体に記録する過程を備え、前記伝送ストリームが、それぞれ前記複数の再生経路のそれぞれ１つに関連付けられた複数の伝送パケットに分割され、かつ、前記複数の再生経路のそれぞれ１つに関連付けられた複数の伝送パケットがデータ領域の中の互いに別の複数の物理的ドメインに保管されていることを特徴とするデータ構造を記録する方法。
【請求項２】
ナビゲーション領域がナビゲーション情報を保管する過程を更に備え、前記ナビゲーション情報が、それぞれ前記複数の再生経路の１つに関連付けられた複数のマップを含み、前記複数のマップのそれぞれが、それらマップのそれぞれに関連付けられた再生経路のビデオデータのための位置データを提供することを特徴とする請求項１に記載の方法。
【請求項３】
前記ナビゲーション領域がナビゲーションデータアイテムを含み、前記ナビゲーションデータアイテムが、前記複数の再生経路のそれぞれを再生するための前記ナビゲーション情報を提供することを特徴とする請求項２に記載の方法。
【請求項４】
前記再生経路のそれぞれが１つのデジタルチャンネルを表すことを特徴とする請求項１に記載の方法。
【請求項５】
前記複数の再生経路のそれぞれがＲＦチャンネルのサブチャンネルを表すことを特徴とする請求項１に記載の方法。
【請求項６】
複数の再生経路を表す少なくともビデオデータの再生継続時間を管理するためのデータ構造を再生する方法であって、少なくともビデオデータからなる伝送ストリームを記録媒体から再生する過程を備え、前記伝送ストリームが、それぞれ前記複数の再生経路のそれぞれ１つに関連付けられた複数の伝送パケットに分割され、かつ、前記複数の再生経路のそれぞれに関連付けられた複数の伝送パケットがデータ領域の中の互いに別の複数の物理的ドメインに保管されていることを特徴とするデータ構造を再生する方法。
【請求項７】
ナビゲーション領域がナビゲーション情報を保管する過程を更に備え、前記ナビゲーション情報が、それぞれ前記複数の再生経路の１つに関連付けられた複数のマップを含み、前記複数のマップのそれぞれが、それらマップのそれぞれに関連付けられた再生経路のビデオデータのための位置データを提供することを特徴とする請求項６に記載の方法。
【請求項８】
前記ナビゲーション領域がナビゲーションデータアイテムを含み、前記ナビゲーションデータアイテムが、前記複数の再生経路のそれぞれを再生するための前記ナビゲーション情報を提供することを特徴とする請求項７に記載の方法。
【請求項９】
前記再生経路のそれぞれが１つのデジタルチャンネルを表すことを特徴とする請求項６に記載の方法。
【請求項１０】
前記再生経路のそれぞれがＲＦチャンネルのサブチャンネルを表すことを特徴とする請求項６に記載の方法。
【請求項１１】
複数の再生経路を表す少なくともビデオデータの再生継続時間を管理するためのデータ構造を記録する装置であって、記録媒体にデータを記録する光記録手段をドライブするためのドライバーと、前記記録媒体に少なくともビデオデータからなる伝送ストリームを記録するドライバーを制御するための制御手段とを備え、前記伝送ストリームが、それぞれ前記複数の再生経路のそれぞれ１つに関連付けられた複数の伝送パケットに分割され、前記複数の再生経路のそれぞれ１つに関連付けられた複数の伝送パケットがデータ領域の中の互いに別の複数の物理的ドメインに保管されていることを特徴とするデータ構造を記録する装置。
【請求項１２】
複数の再生経路を表す少なくともビデオデータの再生継続時間を管理するためのデータ構造を再生する装置であって、記録媒体に記録されたデータを再生する光再生手段をドライブするためのドライバーと、前記記録媒体から少なくともビデオデータからなる伝送ストリームを再生するドライバーを制御するための制御手段とを備え、前記伝送ストリームが、それぞれ前記複数の再生経路のそれぞれ１つに関連付けられた複数の伝送パケットに分割され、前記複数の再生経路のそれぞれ１つに関連付けられた複数の伝送パケットがデータ領域の中の互いに別の複数の物理的ドメインに保管されていることを特徴とするデータ構造を再生する装置。
【請求項１３】
複数の再生経路を表す少なくともビデオデータの再生を管理するためのデータ構造を持った記録媒体であって、少なくともビデオデータからなる伝送ストリームを保管するデータ領域を備え、前記伝送ストリームが、それぞれ前記複数の再生経路のそれぞれ１つに関連付けられた複数の伝送パケットに分割され、前記複数の再生経路のそれぞれ１つに関連付けられた複数の伝送パケットがデータ領域の中の互いに別の複数の物理的ドメインに保管されていることを特徴とする記録媒体。
【発明の詳細な説明】
【技術分野】
【０００１】
本発明は、再記録可能な高密度ＤＶＤ（ＨＤ−ＤＶＤ）のような記録媒体に、マルチチャネルストリームを、デジタルチャネル別に区別されるように記録する方法及びその記録装置、並びにマルチチャネルストリームが記録された記録媒体に関する。
【背景技術】
【０００２】
デジタル画像圧縮及びデジタル変調／復調のようなデジタル技術の発展によって、映像をデジタルデータとして伝送するデジタルテレビ放送に関する標準化が速い速度で進展されている。デジタルテレビ放送は送信する映像／音声（Ａ／Ｖ）信号をＭＰＥＧ−２で圧縮して、その圧縮された映像／音声データを１８８−バイトの伝送パケット（ＴＰ：Transport Packet）で構成された伝送ストリーム（ＴＳ：Transport Stream）形態で伝送する。
【０００３】
デジタル画像／音声圧縮技術及びデジタル伝送技術の発展によって商用化が可能になったデジタル放送は、アナログ放送信号より高画質の映像を提供でき、デジタル通信装置及びデジタル記憶装置などとの相互運用性を高めることができる長所がある。
【０００４】
一方、デジタルテレビ放送によって送信される放送プログラムである伝送ストリームを受信して再記録可能な高密度ＤＶＤに記録するためのＤＶＤレコーダが開発されている。
これはデジタルテレビ放送と一緒に広く商用化されるものに予想される。
【０００５】
ところで、普通６ＭＨｚの周波数帯域を占める一つのデジタル放送チャネル（RF channel）は１９．４Ｍｂｐｓの伝送レートを保障する。この程度の伝送レートは一つのＨＤ−ＴＶ放送信号を伝送することができるが、ＨＤ−ＴＶ信号より画質が低いＳＤ−ＴＶ放送信号を伝送する時は大体４つ程度の他のプログラムを伝送することができる。このように一つのＲＦチャネル内で他のプログラムを伝送する仮想チャネルを「デジタルチャネル」という。
【０００６】
前記のように一つのＲＦチャネル内で複数の異なるデジタルチャネルを受信することができるので、現在開発されているＤＶＤレコーダはユーザーの要請によって２以上のデジタルチャネルを同時に記録することもある。このように記録する時一つのデジタルチャネルを記録する方式と同じ方式で記録して、「それに対する管理情報を生成するようにすると、ＤＶＤレコーダでは記録されたプログラムを区分することができなくなり、ユーザーは複数のデジタルチャネルデータから特定の一つのチャネルデータのみを再生することができない。
【発明の開示】
【発明が解決しようとする課題】
【０００７】
本発明は前記のような問題を解決するために創作されたものであり、記録媒体にマルチチャネルストリームを記録する時、各々のデジタルチャネルストリームを再生時に区分できる形態で記録し及び／または各デジタルチャネルストリームを区分できる管理情報を生成して記録する装置及び方法を提供すると共に、それによってマルチチャネルストリームが記録された記録媒体を提供することが目的である。
【課題を解決するための手段】
【０００８】
前記のような目的を達成するための本発明によるマルチチャネルストリーム記録方法は、複数チャネルのサブストリームで形成された一つのマルチストリームを各々のサブストリーム別に区分し、複数の記録集合体に区画して記録する１段階；及び前記複数の記録集合体に各々記録されたマルチストリームに含まれた複数チャネルのサブストリーム各々に対するサーチ情報を生成して記録する２段階を含むことを特徴とする。
【０００９】
本発明によるマルチチャネルストリーム記録装置は、受信されたデジタル放送信号のＲＦチャネルを一つ以上受信して複数チャネルのサブストリームからなるマルチストリームを出力するデータ受信器；及び前記出力されるマルチストリームを、各々のサブストリーム別に区分して複数の記録集合体に区画して記録し、前記複数の記録集合体にチャネル別に分散されて記録されたマルチストリームに含まれた複数チャネルのサブストリーム各々に対するサーチ情報を生成して記録する記録手段を含んで構成されることを特徴とする。
【発明の効果】
【００１０】
前述した本発明によるマルチチャネルストリーム記録装置及び方法は、マルチチャネルストリームを記録媒体に記録した後にもこれをそれぞれチャネル別に区分してサーチしたり再生することができるので、デジタルレコーダユーザーの使用上便宜性を向上させることができる。
【発明を実施するための最良の形態】
【００１１】
以下、本発明によるマルチチャネルストリームの記録装置及び方法に対する望ましい実施形態に対して、添付された図面を参照して詳細に説明する。
【００１２】
図１は本発明実施形態によるマルチチャネルストリームの記録装置の構成を示したものである。図１の記録装置は、記録媒体、例えば再記録可能な高密度ＤＶＤに放送信号を記録するデジタルビデオレコーダ（ＤＶＲ）である。図１のビデオレコーダは、デジタル放送を受信受信して所望するＲＦチャネルを選択出力するためのチューナ部１０、選択されたＲＦチャネルの伝送ストリーム中選択された複数のデジタルチャネルストリームを選択出力するためのストリーム選択部１１、選択出力される複数のチャネルストリームを指定された記録方式によって一つまたはそれ以上の記録集合体（ＨＯＢ：High-density stream OBject）に記録して、それに対応するナビゲーション情報を生成記録するためのストリーム記録部１２、ストリーム記録部１２から出力されるストリームとナビゲーション情報を高密度ＤＶＤ（ＨＤ−ＤＶＤ）１００にマークとスペースのパターンとして記録する光ピックアップ１３、及びマルチストリームを記録するために前記構成手段の作動を全体的に制御する制御部１４を含む。
【００１３】
チューナ部１０は、制御部１４を通して選択された一つのデジタル放送チャネル、すなわちＲＦチャネルを受信して出力する。ストリーム選択部１１は、受信出力されるＲＦチャネルに多重化されているマルチチャネルストリームから、制御部１４によって選択された複数の、例えば２つのデジタルチャネルに属する伝送パケットのみを抽出して出力する。その際、抽出されて出力される各デジタルチャネル伝送ストリームを、図２に示したように多重化されて一つのストリーム２０１として出力したり、そうでなければ、デジタルチャネル別に区分してそれぞれ２０２１、２０２２として出力することができる。
【００１４】
そして、チューナ部１０は、複数のＲＦチャネルを取り出すことができるが、その際にはストリーム選択部１１が異なるＲＦチャネルから各々一つ以上のデジタルチャネルを選択して複数のデジタルチャネル伝送ストリームを出力することができる。
【００１５】
以下の説明では説明の便宜のためにストリーム選択部１１が選択する複数のデジタルチャネルの数を２とする。
【００１６】
ストリーム記録部１２は、ストリーム選択部１１から出力される二つのデジタルチャネルストリームの伝送パケットのパケット識別子（ＰＩＤ：Packet ID）を検出して、それぞれ異なる第１デジタルチャネルストリームと第２デジタルチャネルストリームに区分して認識する。
【００１７】
この第１及び第２デジタルチャネルストリームは、予め定めた指定記録方式によって記録されるが、その指定された記録方式が「区分記録方式」であれば、図３に示したように二つの記録集合体３０１、３０２を割り当てて、その各記録集合体３０１、３０２内にデジタルチャネル別に受信した順序に記録する。
【００１８】
各デジタルチャネルストリームを区分された記録集合体に記録するためにストリーム記録部１２は十分なデータバッファリング機能を有する。光ピックアップ１３は、ストリーム記録部１２のデータバッファリング時間のあいだ、割り当てられた複数の記録集合体の間を移動しながら、バッファリングされたデータをその記録集合体に一時に記録する。
【００１９】
一方、ストリーム記録部１２は、前記のように区分認識されるデジタルチャネル情報と各デジタルチャネルのストリームの記録情報に基づいて各デジタルチャネルに対するナビゲーション情報を、次に説明するように生成して記録する。
【００２０】
図３は、複数の記録集合体に記録された複数のデジタルチャネルストリームに対してナビゲーション情報を生成する第１実施形態を図式的に示したものである。
【００２１】
デジタル放送信号を記録するための記録媒体は記録規格を有しているが、その規格によると、記録媒体は記録されたプログラムの索引及び相互間の再生順序のためのプログラムチェーン情報（ＰＧＣＩ：Program Chain Information）を有する。このプログラムチェーン情報には、１回に記録されたデータストリームに対してそれぞれ一つずつ生成するプログラム情報（ＰＧＩ：ProGram Information）とセル情報（ＣＩ：Cell Information）が含まれる。そして、また記録規格によると記録されたストリームをサーチのために、記録ストリームの任意単位ごとに対する位置または位置に相応する時間長さの集合であるタイムマップＰＴＭＡＰが、一度の記録作動によって記録されたデータストリームの一つに一つずつ生成する。そして、各タイムマップに対するサーチポインターと情報は記録集合体情報（ＨＯＢＩ：HOB Information）に記録される。
【００２２】
しかし、本発明によれば、一度の記録で二つの記録集合体３０１、３０２が生じるので、二つのデジタルチャネルストリームが、図３に示したように、各記録集合体ごとに一つずつ、全体的に二つのプログラム情報ＰＧＩ  ＃１、ＰＧＩ  ＃２と、二つのセル情報Ｃｅｌｌ  ＃１、Ｃｅｌｌ  ＃２と、二つのタイムマップＰＴＭＡＰに対する二つのタイムマップ情報ＰＴＭＡＰＩが生成する。
【００２３】
二つのプログラム情報と二つのセル情報はプログラムチェーン情報に挿入され、二つのタイムマップとタイムマップ情報は対応する記録集合体情報に各々挿入される。
【００２４】
プログラムチェーン情報及び記録集合体情報のようなナビゲーションデータはメモリ（図示せず）にロードされ、前記のように生成したプログラム情報と、セル情報と、記録集合体情報が、複数のデジタルチャネルのサブストリームが記録完了されると、高密度ＤＶＤ１００のナビゲーションデータ領域に記録される。
【００２５】
図４及び図５は、前述した図３のような形態でマルチチャネルストリームを記録する時に生成記録されるナビゲーション情報の構成例を示したものである。
【００２６】
プログラムチェーン情報ＰＧＣＩには、プログラムチェーン一般情報ＰＧＣ＿ＧＩと、多数のプログラム情報ＰＧＩ  ＃１〜＃ｎと、多数のセル情報サーチポインターＣＩ＿ＳＲＰ  ＃１〜＃ｍと、セル情報ＣＩ  ＃１〜＃ｍとが記録される。プログラム情報ＰＧＩには、プログラムタイプ情報ＰＧ＿ＴＹとセル個数情報Ｃ＿Ｎｓのフィールドが割り当てられている。しかし一つのプログラム情報には一つのセル情報が対応するので、セル個数情報Ｃ＿Ｎｓは省略できる。割り当てる場合には常に１が記録される。
【００２７】
プログラムタイプ情報ＰＧ＿ＴＹは、８ビットの大きさを有し、プログラムＰＧが削除可能なプログラムであるか否かを示すための１ビットの保護フラグを有する。
【００２８】
そして、セル情報ＣＩは、図４に示したように、セルタイプ情報Ｃ＿ＴＹ、記録集合体情報サーチポインター番号情報ＨＯＢＩ＿ＳＲＰＮ、チャネル情報ＣＨＩで構成される。そしてチャネル情報ＣＨＩは再びタイムマップ番号（ＰＴＭＡＰＮ：Presentation MAP Number）、セル開始ＰＴＭ（Presentation Time）情報Ｃ＿Ｖ＿Ｓ＿ＰＴＭ、セル終わりＰＴＭ情報Ｃ＿Ｖ＿Ｅ＿ＰＴＭの各フィールドで構成される。
【００２９】
８ビットの大きさを有するセルタイプ情報Ｃ＿ＴＹは、当該セルがマルチチャネルセルであるのか単一チャネルセルであるのかを示すための２ビットのセルタイプ識別情報Ｃ＿ＴＹ１と、そのセルが参照する単一記録集合体内の記録ストリームの放送（デジタル）チャネル番号を示すための３ビットのセルチャネル番号情報Ｃ＿ＣＨ＿Ｎを含む。
【００３０】
例えば図３に示したように、二つのデジタルチャネルストリームがそれぞれ分離記録された二つの記録集合体３０１と３０２を各々参照する第１セル情報及び第２セル情報のセルチャネル番号情報Ｃ＿ＣＨ＿Ｎには、第１及び第２デジタルチャネルストリームのチャネル番号が各々記録される。
【００３１】
セル情報ＣＩに含めて記録された記録集合体情報サーチポインター番号情報ＨＯＢＩ＿ＳＲＰＮによって相互連結される記録集合体情報ＨＯＢＩは、図５に示したように、記録集合体一般情報ＨＯＢＩ＿ＧＩの他に、多数のタイムマップサーチポインターＰＴＭＡＰ＿ＳＲＰ  ＃１〜＃ｎ、そして多数のタイムマップ情報ＰＴＭＡＰＩ  ＃１〜＃ｎを有する。記録集合体一般情報ＨＯＢＩ＿ＧＩには、記録集合体タイプ情報ＨＯＢ＿ＴＹ、記録集合体記録時間情報ＨＯＢ＿ＲＥＣ＿ＴＭ、記録集合体開始ＰＴＭ情報ＨＯＢ＿Ｖ＿Ｓ＿ＰＴＭ、記録集合体終わりＰＴＭ情報ＨＯＢ＿Ｖ＿Ｅ＿ＰＴＭ、タイムマップ個数情報ＰＴＭＡＰ＿Ｎｓ及び各タイムマップの開始アドレスＰＴＭＡＰ＿ＳＡ  ＃ｉが含まれる。
【００３２】
そして、各タイムマップ情報ＰＴＭＡＰＩは、タイムマップ一般情報ＰＴＭＡＰ＿ＧＩと、任意にアクセス可能な記録単位体（ＨＯＢＵ：High-density stream OBject Unit）のエントリーＨＯＢＵ＿ＥＮＴ  ＃１〜＃ｊのためのフィールドを含む。タイムマップ一般情報には、そのタイムマップ情報に対応する記録ストリームの伝送パケットのビデオパケット識別子Ｖ＿ＰＩＤ、オーディオパケット識別子Ａ＿ＰＩＤ、記録集合体情報の番号ＨＯＢＩ＿ＳＴＩＮ、記録単位体エントリー個数ＨＯＢＵ＿ＥＮＴ＿Ｎｓ、タイムマップの開始ＰＴＭ情報ＰＴＭＡＰ＿Ｓ＿ＰＴＭ、及び終わりＰＴＭ情報ＰＴＭＡＰ＿Ｅ＿ＰＴＭが記録される。
【００３３】
前記のようにチャネルによって記録集合体が区分されて記録され、また、記録されたマルチチャネルストリームに対して、図４及び図５のようなフォーマットのナビゲーション情報を生成して記録媒体に記録するので、再生時に、プログラムチェーン情報ＰＧＣＩにある各プログラム情報ＰＧＩとそのプログラムを参照するセル情報、特にセルタイプＣ＿ＴＹ内のチャネル番号「Ｃ＿ＣＨ＿Ｎ」によって所望するデジタルチャネルのストリームが記録された記録集合体を特定できる。
【００３４】
そして、その特定された記録集合体内のデジタルチャネルストリームをサーチする時には、記録集合体一般情報ＨＯＢＩ＿ＧＩに含まれているタイムマップ個数情報ＰＴＭＡＰ＿Ｎｓ、各タイムマップの開始アドレスＰＴＭＡＰ＿ＳＡ  ＃ｉ、及び各タイムマップ情報ＰＴＭＡＰＩ  ＃ｉの一般情報ＰＴＭＡＰ＿ＧＩのタイムマップ開始ＰＴＭ情報と終わりＰＴＭ情報から選択されたデジタルチャネルに属するタイムマップを特定して、その特定されたタイムマップに記録されている、任意の大きさ単位のＰＴＭ増加時間及び大きさ情報に基づいて一つの記録集合体でなされたデジタルチャネルのストリームをサーチしてまた再生できる。
【００３５】
図６は、複数の記録集合体に記録された複数のデジタルチャネルストリームに対してナビゲーション情報を生成する第２実施形態を図式的に示したものである。
【００３６】
図６の実施形態は、図３の実施形態とは違って、複数のデジタルチャネルストリームを複数の記録集合体に記録した後に単一のプログラム情報を生成する。しかし、各デジタルチャネルストリームを区分してサーチ及び再生するためのタイムマップとタイムマップ情報は記録集合体当たり一つずつ生成して記録する。
【００３７】
この２番目の実施形態は、最初の実施形態と比較して、複数のデジタルチャネルのストリームの記録後に生成するプログラム情報ＰＧＩの個数が異なるのでプログラム情報ＰＧＩの構造は図４に提示されたものと変わる。
【００３８】
この２番目の実施形態では、一つのプログラム情報ＰＧＩが複数のデジタルチャネルストリームを管理して、一つのチャネルストリームを一つのセル情報で管理しているので、一つのプログラム情報ＰＧＩは複数のセル情報ＣＩと連関される。
【００３９】
したがって、プログラム情報ＰＧＩは、いくつのセル情報をカバーしているかを指すために必ずセル個数情報Ｃ＿Ｎｓフィールドを伴う。
【００４０】
そして、プログラムタイプフィールドＰＧ＿ＴＹは、１ビットの保護フラグの他に、当該プログラムが単一チャネルストリームであるのかマルチチャネルストリームであるのかを指す単一／マルチフラグＳ／Ｍと、プログラム情報に対応する記録ストリームに含まれた放送チャネル（デジタルチャネル）の数を示すための３ビットのチャネル個数情報Ｃhａｎｎｅｌ＿Ｎｓを含む。
【００４１】
この２番目実施形態の場合にも記録されたマルチチャネルストリームの各チャネルのサブストリームに対するすべての情報を第１実施形態のように保管しているので、選択されたデジタルチャネル、すなわち特定された記録集合体内のサブストリームの再生とサーチを実施することができる。
【００４２】
図７は、複数の記録集合体に記録された複数のデジタルチャネルストリームに対してナビゲーション情報を生成する第３実施形態を図式的に示したものである。
【００４３】
図７の実施形態は、図３の実施形態とは違って、複数のデジタルチャネルストリームを複数の記録集合体に記録した後に、単一のプログラム情報ＰＧＩと単一のセル情報ＣＩを生成する。しかし、各デジタルチャネルストリームを区分してサーチ及び再生するためのタイムマップ情報は各記録集合体に対して一つずつ、複数のチャネル数を生成して記録する。
【００４４】
この３番目の実施形態は、最初の実施形態と比較して、複数のデジタルチャネルのストリームの記録後に生成するプログラム情報及びセル情報の個数が異なるのでナビゲーションデータ構造は図４に提示されたものと多少変わる。
【００４５】
すなわち、この３番目実施形態では一つのプログラム情報ＰＧＩが複数のデジタルチャネルストリームを管理するので、プログラムタイプフィールドＰＧ＿ＴＹは、１ビットの保護フラグの他に、当該プログラムが単一チャネルストリームであるのかマルチチャネルストリームであるのかを指す単一／マルチフラグＳ／Ｍと、プログラム情報に対応する記録ストリームに含まれた放送チャネル（デジタルチャネル）数を示すための３ビットのチャネル個数情報Ｃhａｎｎｅｌ＿Ｎｓを含む。
【００４６】
また、この３番目実施形態では複数のサブストリームを一つのセル情報が管理するので、セル情報は図４のフィールドの他に、「チャネル数を記録するためのフィールド」をさらに有し、「タイムマップ番号」、「セル開始ＰＴＭ情報」及び「セル終わりＰＴＭ情報」で構成されたチャネル情報ＣＨＩをそのセルが参照するマルチチャネルストリームのチャネル数だけ有する。そして、一つのセルが複数チャネルストリームを管理するので、記録ストリームのチャネル番号を記録するためのフィールドが追加的にセル情報内に割り当てられる。
【００４７】
そして、記録されたストリームのチャネル数はセル情報も有しているので、プログラム情報ＰＧＩでは「チャネル数」に対するサブフィールドＣhａｎｎｅｌ＿Ｎｓを割り当てなくても良い。また、複数チャネルのストリームを記録しても一つのプログラム情報ＰＧＩと一つのセル情報ＣＩを生成するので、図４のプログラム情報ＰＧＩにあるセル個数情報Ｃ＿Ｎｓフィールドは削除しても差し支えない。
【００４８】
この３番目の実施形態の場合にも記録されたマルチチャネルストリームの各チャネルのサブストリームに対するすべての情報を第１実施形態でのように保管しているので、選択されたデジタルチャネル、すなわち一つの記録集合体に区画されたサブストリームだけを再生し、かつサーチすることができる。
【００４９】
以上、前述した本発明の望ましい実施形態は、例示の目的のために開示されたものであって、当業者であれば添付された特許請求範囲に開示された本発明の技術的思想とその技術的範囲内で、多様な他の実施形態を改良、変更、代替または付加などが可能である。
【図面の簡単な説明】
【００５０】
【図１】本発明実施形態によるマルチチャネルストリームの記録装置に対する構成を示した図。
【図２】本発明実施形態によって受信されるマルチチャネルストリームから選択されたデジタルチャネルのサブストリームを抽出して出力する形態を示した図。
【図３】本発明実施形態によるマルチチャネルストリームの記録方法の第１実施形態によって記録されたマルチストリームと、それに対応するナビゲーション情報を図式化して示した図。
【図４】本発明実施形態によるマルチチャネルストリームの記録方法のためのナビゲーション情報の構造を各々示した図。
【図５】本発明実施形態によるマルチチャネルストリームの記録方法のためのナビゲーション情報の構造を各々示した図。
【図６】本発明実施形態によるマルチチャネルストリームの記録方法の第２実施形態によって記録されたマルチストリームと、それに対応するナビゲーション情報を図式化して示した図。
【図７】本発明実施形態によるマルチチャネルストリームの記録方法の第３実施形態によって記録されたマルチストリームと、それに対応するナビゲーション情報を図式化して示したものである。
【符号の説明】
【００５１】
１０…チューナ部、１１…ストリーム選択部、１２…マルチチャネルストリーム記録部、１３…光ピックアップ、１４…制御部、１００…高密度ＤＶＤ。
【図１】
2006294245.tif 000003
【図２】
2006294245.tif 000004
【図３】
2006294245.tif 000005
【図４】
2006294245.tif 000006
【図５】
2006294245.tif 000007
【図６】
2006294245.tif 000008
【図７】
2006294245.tif 000009